(57)【要約】【課題】  全体としてコンパクトな状態でシェービングブラシやスタンドを置いておくことができるシェービングセットの提供。及び、ヒゲ剃り時にシェービングブラシをきわめて簡単な動作で手間をかけることなく且つ迅速にスタンドに着脱することができるシェービングセットの提供。【解決手段】  シェービングブラシと該シェービングブラシ用のスタンドを含むシェービングセットであって、前記シェービングブラシは一端にブリッスルを有し、シェービングブラシをスタンドの上から下方の一方向にのみ移動させることによってシェービングブラシがスタンドに支持され且つその装着状態からシェービングブラシを上方の一方向にのみ移動させることによってシェービングブラシがスタンドから取り外されるための手段を備えている。【選択図】  図１
2008253515.tif 000002
【特許請求の範囲】
【請求項１】
シェービングブラシと該シェービングブラシ用のスタンドを含むシェービングセットであって、前記シェービングブラシは一端にブリッスルを有し、シェービングブラシをスタンドの上から下方の一方向にのみ移動させることによってシェービングブラシがスタンドに支持され且つその装着状態からシェービングブラシを上方の一方向にのみ移動させることによってシェービングブラシがスタンドから取り外されるための手段を備えていることを特徴とするシェービングセット。
【請求項２】
シェービングブラシはブリッスルが下向きの状態でスタンドに支持される請求項１記載のシェービングセット。
【請求項３】
シェービングブラシはシェービングクリーム入りのエアゾール容器の噴出口からシェービングクリームの供給を受けることができるように、シェービングブラシを貫通するシェービングクリームの通路が設けられ、該通路が、シェービングブラシをスタンドの上に装着して支持するための手段として用いられる請求項１又は請求項２記載のシェービングセット。
【請求項４】
スタンドは台座と該台座から上方に延びる支柱とを有し、前記シェービングブラシに設けられた通路は支柱が挿入できる内径を有している請求項３記載のシェービングセット。
【請求項５】
シェービングセットは、シェービングブラシとスタンドの他にエアゾール容器の上に取り付け可能なシェービングブラシのカバーを有し、該カバーは両端が開口の筒状に形成され、一方の開口部はその縁が所定のエアゾール容器の周面の上端に取り付け可能に形成され、他方の開口部はスタンドを裏返した状態でスタンドの台座を支持できるように形成されている請求項４に記載のシェービングセット。
【発明の詳細な説明】
【技術分野】
【０００１】
本発明は、主に一般家庭で使用されるシェービングセットに関する。  
【背景技術】
【０００２】
従来のシェービングブラシ用スタンドはシェービングブラシを掛け下げるために支柱を必要とし、この支柱から水平方向に一対のアームが延びる構造である（例えば、非特許文献１参照。）。また、歯ブラシのスタンドについては歯ブラシを立て置いた状態で支持する構造のスタンドが存在する（例えば、特許文献１参照。）。シェービングブラシ用スタンドについての特許文献は存在しない。
【非特許文献１】カミソリ倶楽部、シェービングセット、[online]、［平成１９年４月２日検索］、インターネット＜URL:http://www.kamisoriclub.co.jp/shavingset/6548.htm＞
【特許文献１】特開平９−２８５９４号公報
【発明の開示】
【発明が解決しようとする課題】
【０００３】
本発明は、シェービングブラシやそのスタンドを含むシェービングセットであって、従来のシェービングセットよりも、全体としてコンパクトな状態でシェービングブラシやスタンドを置いておくことができるシェービングセットを提供することを課題とする。また、従来のシェービングセットよりも、ヒゲ剃り時にシェービングブラシをきわめて簡単な動作で手間をかけることなく且つ迅速にスタンドに着脱することができるシェービングセットを提供することを課題とする。
【０００４】
従来のシェービングセットは、シェービングブラシをスタンドに支持するために、シェービングブラシのハンドルの途中部分をやや細く形成して縮径部とし、スタンドの支柱から水平方向に延びる一対のアームにその縮径部を掛けてシェービングブラシを支持する構造である。
【０００５】
このように、従来のシェービングブラシ用スタンドはシェービングブラシを掛け下げるために支柱を必要とし、この支柱から水平方向に一対のアームが延びる構造である。シェービングブラシはその中心軸が支柱から少なくてもシェービングブラシの最大半径の距離を置いて支柱と平行に掛けられるから、広いスペースが必要である。さらに、支柱がスタンドの台座の中央に設けられているものもあるが、この場合シェービングブラシを掛けると重心が中央から外れるので安定性に欠けるから広めの台座が必要である。このように、従来のスタンドにシェービングブラシを掛けるためには広いスペースが必要となる。
【０００６】
また、スタンドの一対のアームにシェービングブラシを掛けるときは、縦方向にして持ったシェービングブラシを水平方向に移動させながらそのハンドルの縮径部を両アームの間に入れる。そしてそれから、シェービングブラシを下方に移動させることによりシェービングブラシはアームに掛けられる。したがって、シェービングブラシをスタンドに支持するためにシェービングブラシを水平方向と鉛直方向の２つの方向に移動しなくてはならないから、２つの動作が必要であり手間がかかる。さらに、アームが使用者の体から離れる方向を向いているときはシェービングブラシのハンドルをアームの間に出し入れしづらいので、スタンドを置く際にアームの方向を確認しなくてはならず不便である。また、使用者が右利きの場合、アームが左方向を向いていると非常に使用しづらいから、アームは手前方向あるいは右方向を向いていなければならない。特に右方向を向いているときが最もよいが、そのためには右側にシェービングブラシを水平方向に移動させるためのスペースが必要となり壁の近くでは使用できないから使用場所が制限される。左利きの使用者は左側にスペースが必要である。
【０００７】
また、従来の歯ブラシを立て置いた状態でスタンドの上に装着して支持するスタンドは、立てた歯ブラシの後端をスタンドの底部で支持し、立てた歯ブラシの転倒を防止するための孔部を有していてその孔部に歯ブラシのハンドルを挿通させていた。このような構造のスタンドを用いると、シェービングブラシのハンドルは歯ブラシのハンドルよりも短くブリッスルの部分が重いので、孔部にハンドルを挿通させても不安定になるのである。また、ハンドルが孔部に隠れてしまうので使用しづらいのである。このため特許文献１のような構造のスタンドをシェービングブラシに用いることができなかった。
【０００８】
そこで本発明は、従来のシェービングセットよりも、全体としてコンパクトな状態でシェービングブラシやスタンドを置いておくことができるシェービングセットを提供しようとするものである。また、従来のシェービングセットよりも、ヒゲ剃り時にシェービングブラシをきわめて簡単な動作で手間をかけることなく且つ迅速にスタンドに着脱することができるシェービングセットを提供しようとするものである。さらには、使用時にスタンドの置き場所やスタンドの使用者に対する向きを選ばないシェービングセットを提供しようとするものである。
【課題を解決するための手段】
【０００９】
本発明の請求項１は、シェービングブラシと該シェービングブラシ用のスタンドを含むシェービングセットであって、前記シェービングブラシは一端にブリッスルを有し、シェービングブラシをスタンドの上から下方の一方向のみに移動させることによってシェービングブラシがスタンドに支持され且つその装着状態からシェービングブラシを上方の一方向のみに移動させることによってシェービングブラシがスタンドから取り外されるための手段を備えている構成である。
【００１０】
請求項２は、ブリッスルが下向きの状態でシェービングブラシがスタンドに支持される要素が請求項１に付加された構成である。
【００１１】
請求項３は、シェービングブラシがシェービングクリーム入りのエアゾール容器の噴出口からシェービングクリームの供給を受けることができるように、シェービングブラシを貫通するシェービングクリームの通路が設けられ、該通路が、シェービングブラシをスタンドの上に装着して支持するための手段として用いられる要素が請求項１又は請求項２に付加された構成である。
【００１２】
請求項４は、スタンドが台座と該台座から上方に延びる支柱とを有し、シェービングブラシに設けられた通路は支柱が挿入できる内径を有している要素が請求項３に付加された構成である。
【００１３】
請求項５は、シェービングセットが、シェービングブラシとスタンドの他にエアゾール容器の上に取り付け可能なシェービングブラシのカバーを有し、該カバーは両端が開口の筒状に形成され、一方の開口部はその縁が所定のエアゾール容器の周面の上端に取り付け可能に形成され、他方の開口部はスタンドを裏返した状態でスタンドの台座を支持できるように形成されている要素が請求項４に付加された構成である。
【発明の効果】
【００１４】
請求項１は、シェービングブラシが一端にブリッスルを有し、シェービングブラシをスタンドの上から下方の一方向にのみ移動させることによってシェービングブラシがスタンドに支持され且つその装着状態からシェービングブラシを上方の一方向にのみ移動させることによってシェービングブラシがスタンドから取り外されるための手段を備えている。したがって、シェービングブラシはスタンドの上から下方の一方向にのみ移動させるだけで支持され、上方の一方向にのみ移動させるだけで取り外すことができるのであるから、それぞれにおいてシェービングブラシを水平方向に移動させる必要がなくきわめて簡単な動作で手間をかけることなく且つ迅速に着脱することができる。また、シェービングブラシを上下一方向にのみ移動させることによってシェービングブラシがスタンドに着脱自在であるということは、必然的に、シェービングブラシの水平方向の移動を必要とする従来のスタンドのようなアーム付き支柱を必要としない。これにより本発明は、シェービングブラシをスタンドに取り付けたときに重心が中心からあまり外れないのでスタンドの台座を従来よりも小さくすることができるのでスペースをとらない。また、スタンドがシェービングブラシを支持した状態をコンパクトにすることができる。また、アームが不要であるからアームが邪魔にならない。
【００１５】
請求項２は、ブリッスルが下向きの状態でシェービングブラシがスタンドに支持される。したがって、スタンドに支持されているシェービングブラシはそのハンドルが上側を向くのでハンドルをつかみやすく、迅速にシェービングブラシをスタンドから持ち上げることができる。
【００１６】
請求項３は、シェービングブラシがシェービングクリーム入りのエアゾール容器の噴出口からシェービングクリームの供給を受けることができるように、シェービングブラシを貫通するシェービングクリームの通路が設けられ、該通路が、シェービングブラシをスタンドの上に装着して支持するための手段として用いられる。シェービングブラシをスタンドの上に装着して支持するための手段として通路を用いるので、特別に支持する手段を設ける必要がなくコストを抑えることができる。
【００１７】
請求項４は、スタンドが台座と該台座から上方に延びる支柱とを有し、シェービングブラシに設けられた通路は支柱が挿入できる内径を有している。したがって、シェービングブラシの通路にスタンドの支柱を挿入し又は抜き出すことによってシェービングブラシをスタンドに容易に着脱することができる。また、シェービングブラシの通路にスタンドの支柱を挿入することにより、シェービングブラシは安定的に支持される。
【００１８】
請求項５は、シェービングセットが、シェービングブラシとスタンドの他にエアゾール容器の上に取り付け可能なシェービングブラシのカバーを有し、該カバーは両端が開口の筒状に形成され、一方の開口部はその縁が所定のエアゾール容器の周面の上端に取り付け可能に形成され、他方の開口部はスタンドを裏返した状態でスタンドの台座を支持できるように形成されている。したがって、シェービングセットをエアゾール容器も含めて保管するときに、エアゾール容器の上にカバーを取り付け、その中にシェービングブラシを取り付け、カバーの上から逆向きにスタンドを装着すれば全体をコンパクトにすることができる。
【発明を実施するための最良の形態】
【００１９】
次に本発明の実施形態について説明する。図３はシェービングブラシ１の正面図であり、図４はＡ−Ａ断面図である。シェービングブラシ１はハンドル２にブリッスル３を植毛した構造を有する。ハンドル２及びブリッスル３は合成樹脂で形成されているが他の材料でもよい。ハンドル２の途中は細く形成されていて指先で摘み易くなっている。ハンドル２の長さは約３８ｍｍであり、ハンドル２の基端４の直径は約３０ｍｍであり、ハンドル２の後端５の直径は約３２ｍｍである。ハンドル２から突出しているブリッスル３の長さは約２５ｍｍである。しかし、本発明はこれらの数値に限定されるものではない。ブリッスル３はハンドル２の基端４から軸線方向に直線状に延びている。したがって、ブリッスル３は基端４の外周よりも外側にはみ出していない。
【００２０】
ハンドル２の基端４の中央部から後端５に向かってシェービングクリームの通路６が設けられている。したがって、ブリッスル３はハンドル２の基端４に全面的に植毛されておらず、中央に通路６の開口が存在する。通路６は後端５に近づくに従って徐々に細くなるように形成されている。通路６の最奥は凹曲面に形成されている。通路６の長さは約３０ｍｍであり、基端４部分の内径は約１０ｍｍである。しかし、本発明はこれらの数値に限定されるものではない。また、ハンドル２の後端５の中央部にエアゾール容器７のノズル８を受けるための凹状のノズル受け部９が設けられている。通路６とノズル受け部９とは連通している。
【００２１】
使用時にエアゾール容器７のノズル８の噴出口から噴出したシェービングクリームはノズル受け部９から通路６に勢いよく流出するので、この勢いを弱めるためにシェービングクリームの流れに抵抗を与える抵抗部が設けられていることが好ましい。このために、通路６とノズル受け部９の境にブリッジ１０が直径方向に架け渡されている。図５に示すようにブリッジ１０によってシェービングクリームが抵抗を受けそこで流れが２つに分かれることが理解できる。しかし、本発明における抵抗部がこの構造に限定されないことは勿論である。また、このブリッジ１０のような抵抗部を有しなくてもよい。ブリッジ１０を直径方向に掛け渡したときは、シェービングクリームがこのブリッジ１０に当たることにより通路６内で拡散し、シェービングクリームが通路６の出口からブリッスル３の先端に満遍なく流出する。前述したノズル受け部９の直径は約５ｍｍであるがこの数値に限定されるものではない。ブリッジ１０の長さは約３ｍｍであり、幅は約１ｍｍである。ブリッジ１０の長さがノズル受け部９の直径よりも短い理由は、ノズル受け部９のブリッジ１０に近い部分１１の内径を小さくすることにより、エアゾール容器７のノズル８の先端がブリッジ１０に当たることを防止するためである。また、ハンドル２に空洞部１２を設けて軽量化を図っている。
【００２２】
図６に示すように、スタンド１３は円形の台座１５の中央に垂直方向に延びる支柱１４が設けられている。支柱１４は台座１５の中心でなくても本発明の趣旨に合う範囲であればよい。また、支柱１４は垂直方向に延びていなくてもよく、安定性を保てる範囲で傾斜していてもよい。さらに台座１５の外周１６よりもやや中心寄りに周壁１７が設けられている。スタンド１３の台座１５の外面から支柱１４の頂部までの高さは約６３ｍｍであり、スタンド１３の直径は約５０ｍｍであるがこれらの数値に限定されるものではない。スタンド１３は合成樹脂で一体に形成されているが他の材料であってもよい。また、一体成形でなく支柱１４などを別体に形成して結合する構造であってもよい。支柱１４の頂点から３分の１ほどの上部１８の断面は十字形に形成され、その下の下部１９の断面は中が空洞の円形である。
【００２３】
シェービングブラシ１の通路６は、シェービングブラシ１をスタンド１３に装着するときにスタンド１３の支柱１４を挿入する部分でもある。本発明ではその支柱１４を挿入する際に通路６の途中で支柱１４の挿入を阻止するための手段が設けられる。この手段として、通路６の最奥は凹曲面に形成した。しかし、本発明はこの構造に限定されるものではない。なお、前述したようにシェービングブラシ１には空洞部１２が設けられている。したがって、この空洞部１２に支柱１４を挿入してブリッスル３を上向き状態でシェービングブラシ１を支持することもできる。但し、空洞部１２を設けなくてもよいことは当然である。
【００２４】
図８に示すように、カバー２０は円錐台形の筒状に形成されている。両端は開口部２１，２２で開口されている。開口部２１の内面に４つの突起２３，２３，２３，２３が設けられている。これは、図２に示すように突起２３，２３，２３，２３をエアゾール容器７の口金２４に係合してカバー２０をエアゾール容器７の上面に取り付けるためのものである。また、開口部２２の縁に２つの凹部２５，２５が設けられている。これは、図２に示すようにスタンド１３を逆さにしてカバー２０の上に装着したときに、通風性を良くするためのものである。カバー２０は透明の合成樹脂で一体に成形されているが、合成樹脂以外の材料を用いてもよく透明以外に不透明でも半透明でもよい。カバー２０の全長は約９０ｍｍであり、一方の開口部２１の外径は約５４ｍｍであり、他方の開口部２２の外径は約４７ｍｍである。しかし、本発明はこれらの数値に限定されるものではない。
【００２５】
シェービングブラシ１と、スタンド１３と、エアゾール容器７と、カバー２０を保管するときは、まず図２に示すようにエアゾール容器７のノズル８にシェービングブラシ１のノズル受け部９を宛がう。次いで、エアゾール容器７の口金２４にカバー２０の突起２３を係合してカバー２０をエアゾール容器７に取り付ける。次いで、スタンド１３を逆さにしてその支柱１４をシェービングブラシ１の通路６に挿入する。そのとき、支柱１４の先端が通路６の最奥に設けられたブリッジ１０に当たる前にスタンド１３の台座１５がカバー２０の開口部２２の縁に当たってその位置でスタンド１３は支持される。したがって、ブリッジ１０が支柱１４の先端に当ることがなく損傷する虞はない。また、外からの力でノズル８が押されることがなく不意にシェービングクリームが噴出することがない。この状態が保管状態である。この状態において全体の高さはエアゾール容器７よりもやや高いが、平面を占めるスペースはエアゾール容器７と同じであるからコンパクトな状態で保管することができる。なお、カバー２０がないときは他の方法で保管する。例えば、図７に示すようにシェービングブラシ１を逆さにしてスタンド１３に取り付ける。また、包装容器に入れてこれらのセットを販売する際に、図９に示す取扱い説明書２６を収めてもよい。取扱い説明書２６は孔２７を有する円形の紙片を蛇腹状に連結してあり、これを畳んで図２に示す状態のときに孔２７にノズル８を通してシェービングブラシ１の後端５とエアゾール容器７の上端２８の間に挟む。取扱い説明書２６を挟んだときはシェービングブラシ１を押してもノズル８からシェービングクリームが噴出しない。取扱い説明書２６を取り外したときはシェービングブラシ１及びエアゾール容器７を使用することができる。
【００２６】
図１に示す保管状態からシェービングブラシ１を使用するときは、まず、スタンド１３を手に持ち台座１５を下にして洗面台などの上に置く。スタンド１３の台座１５の表面に吸盤や両面テープを取り付けることによりスタンド１３を安定させることができる。次に、カバー２０をエアゾール容器７から取り外す。カバー２０を取り外した後に指でシェービングブラシ１をつかんでそのまま強く押す。この動作によってノズル８の噴出口からシェービングクリームが噴き出し通路６を通ってブリッスル３の先端に満遍なく流出する。そして、ブリッスル３に流出したシェービングクリームを顔などに塗る。塗り終わったときにシェービングブラシ１を再度スタンド１３に装着する。ヒゲ剃り時にはこの動作を２度３度あるいはそれ以上繰り返す。なお、洗面台などが広くスペースに余裕があるときは、本実施形態のようにシェービングブラシ１の後端５を平面とすればスタンド１３を使用しなくても洗面台の後端５を下にして直接置くことができる。但し、本発明はその後端５を平面とすることに限定されるものではない。ヒゲ剃りが完了した後にシェービングブラシ１及び必要に応じてスタンド１３を洗浄する。使用により空になったエアゾール容器７は新品と交換してシェービングセットは引き続き使用することができる。
【００２７】
スタンド１３にシェービングブラシ１を装着するときは、シェービングブラシ１の通路６のブリッスル３側開口をスタンド１３の支柱１４の先端に対向させ、そのままシェービングブラシ１を下ろすと通路６の中に支柱１４が挿入されてシェービングブラシ１をスタンド１３に装着することができる。したがって、非常に簡単な動作でシェービングブラシ１をスタンド１３に装着することができる。また、スタンド１３からシェービングブラシ１を取り出すときは、シェービングブラシ１を手で持ってそのまま上に持ち上げればよいので非常に簡単な動作でシェービングブラシ１をスタンド１３から取り出すことができる。シェービングブラシ１をスタンド１３に装着するときもスタンド１３から取り出すときも、シェービングブラシ１を水平方向に移動させる必要がないので迅速に着脱できる。また、シェービングブラシ１がスタンド１３に装着された状態で、スタンド１３の支柱１４とそれを挿入しているシェービングブラシ１の通路６が同軸上にあるから安定性が高く、したがって、スタンド１３の台座１５を広くする必要がなくスペースをとらないという効果を奏する。スタンド１３の台座１５には周壁１７が設けられているので、ブリッスル３を下に向けてシェービングブラシ１を装着したときにブリッスル３から垂れるシェービングクリームや水を受けることができる。
【図面の簡単な説明】
【００２８】
【図１】シェービングセットをエアゾール容器の上に取り付けた状態の正面図
【図２】図１の取り付け状態を示す一部断面図
【図３】シェービングブラシの正面図
【図４】図３におけるＡ−Ａ断面図
【図５】シェービングブラシの拡大底面図
【図６】スタンドの拡大斜視図
【図７】スタンドにシェービングブラシを装着した状態を示す正面図
【図８】カバーの拡大斜視図
【図９】取扱い説明書の平面図及び正面図
【符号の説明】
【００２９】
１  シェービングブラシ  
２  ハンドル
３  ブリッスル
４  基端
５  後端
６  通路
７  エアゾール容器
８  ノズル
９  ノズル受け部
１０  ブリッジ
１１  ノズル受け部のブリッジに近い部分
１２  空洞部
１３  スタンド
１４  支柱
１５  台座
１６  外周
１７  周壁
１８  支柱の上部
１９  支柱の下部
２０  カバー
２１  開口部
２２  開口部
２３  突起
２４  口金
２５  凹部
２６  取扱い説明書
２７  孔
２８  エアゾール容器の上端
【図１】
2008253515.tif 000003
【図２】
2008253515.tif 000004
【図３】
2008253515.tif 000005
【図４】
2008253515.tif 000006
【図５】
2008253515.tif 000007
【図６】
2008253515.tif 000008
【図７】
2008253515.tif 000009
【図８】
2008253515.tif 000010
【図９】
2008253515.tif 000011